(57)【要約】【課題】  鋼管杭の把持・開放動作を回転駆動軸の回転操作のみで確実に行うことができる、構造が簡単で耐久性があり且つ製作コストの安い、鋼管杭のチャック装置を提供する。【解決手段】  ねじ軸２の上端部を鋼管杭回転圧入装置の回転駆動軸に連結し、鋼管杭Ｐの上端に受け座４を押し当てた状態でねじ軸２を回転し、第１のナット部材３と第２のナット部材５を上下から接近させると、各チャック片６は半径方向外側に変位し、それぞれの外周面が鋼管杭Ｐの上端部内周面を押圧して把持する。また、ねじ軸２を逆転して、第１のナット部材３と第２のナット部材５を離間させると、各チャック片６は、弾性リング９の付勢力によって半径方向内側に変位して鋼管杭Ｐを開放する。【選択図】  図１０
2015206208.tif 000002
【特許請求の範囲】
【請求項１】
上端から所定長さの範囲に形成された第１のねじ部と、当該ねじ部と同一ピッチの逆ねじで下端から所定長さの範囲に形成された第２のねじ部と、前記２つのねじ部の間に設けられた案内鍔部とを有し、上端部が鋼管杭の回転圧入装置の回転駆動軸に連結されて略垂直軸線回りに回転駆動されるねじ軸と、
前記ねじ軸の第１のねじ部に螺合するねじ孔が中心部に形成されているとともに、下端から上方に径が拡大するテーパ状外周面を有する第１のナット部材と、
前記第１のナット部材と一体に連結され、鋼管杭の上端面に当接する受け面を有する受け座と、
前記ねじ軸の第２のねじ部に螺合するねじ孔が中心部に形成されているとともに、上端から下方に径が拡大する、第１のナット部材のテーパ状外周面と同じテーパ角のテーパ状外周面を有する第２のナット部材と、
前記ねじ軸の周囲に放射状に配置され、それぞれの半径方向外側の面が鋼管杭上端部内周面と当接してこれを内側から把持する把持面として機能する、横断面扇状の複数のチャック片と、
これらのチャック片を結束して半径方向内側に付勢する少なくとも１つの弾性リングとを備え、
前記それぞれのチャック片には、半径方向外側の面に前記弾性リングを収容する弾性リング収容溝が隣どうし環状に連続するように、円周方向に形成されているとともに、半径方向内側の面の長手方向中央部に、前記ねじ軸の案内鍔部がその半径方向及び円周方向に摺動可能に嵌入する溝部が形成され、前記溝部の上方には、前記第１のナット部材のテーパ状外周面に案内される第１のテーパ状受け面が形成されているとともに、当該溝部の下方には、前記第２のナット部材のテーパ状外周面に案内される第２のテーパ状受け面が形成され、第１のナット部材のテーパ状外周面と第１のテーパ状受け面の間、ならびに、第２のナット部材のテーパ状外周面と第２のテーパ状受け面の間には、それぞれキーが組み込まれてそれぞれの対向面間の相対回動変位が規制され、
鋼管杭上端に管端受け部を押し当てた状態でねじ軸を回転させて、第１のナット部材と第２のナット部材を接近させることにより、各チャック片が半径方向外側に変位して各把持面が鋼管杭の上端部内周面を押圧して把持し、ねじ軸を逆転させて、第１のナット部材と第２のナット部材を離間させることにより、各チャック片が弾性リングの付勢力によって半径方向内側に変位して鋼管杭を開放することを特徴とする鋼管杭のチャック装置。
【請求項２】
第２のナット部材の下端面に、下面に鋼管杭内へ案内するためのガイド部材を有する防塵カバーが、取り外し可能に装着されていることを特徴する請求項１に記載の鋼管杭のチャック装置。
【発明の詳細な説明】
【技術分野】
【０００１】
本発明は、鋼管杭回転圧入装置の回転駆動軸に取り付けて、当該回転駆動軸の回転力を鋼管杭に伝達するチャック装置に関する。
【背景技術】
【０００２】
従来、小規模住宅等の基礎の下に設置する杭としては、一般に、小径鋼管からなる鋼管杭が用いられている。この設置作業は、鋼管杭回転圧入装置の駆動ヘッドに設けられた回転駆動軸の下端に鋼管杭の上端部を連結し、前記回転駆動軸を回転させながら駆動ヘッドを下降することで、前記鋼管杭を基礎地盤の中に圧入している。
【０００３】
この作業においては、回転駆動軸の回転を鋼管杭に伝達するために、上面の中心部に連結軸を突設した鋼製の円板を鋼管杭の上端面に熔接し、この連結軸を介して鋼管杭と回転駆動軸を連結している。
【０００４】
そのため、鋼管杭の打設後には、鋼管杭の上端から前記円板を取り外す作業が必要であるため、多数の鋼管杭を設置する場合には、この作業に多くの手間と時間を費やしてしまう問題があった。
【０００５】
そこで、特許文献１や特許文献２に示すような、オーガの出力軸に連結して、基礎地盤中に回転しながら圧入される鋼管杭を内側から把持するチャック装置が提案されている。特許文献１に記載されている「鋼管チャック装置」では、オーガの中空の出力軸の上方に設けたチャックシリンダで、前記出力軸の中を貫通するチャックロッドを介してその下端に設けた複数のスライドブロックを上下動するようになっている。
【０００６】
これらのスライドブロックは、鋼管内に差し込まれて出力軸とともに回転するケーシングの窓に装着された、複数のチャックブロックとそれぞれテーパ面で摺接しており、前記チャックシリンダでチャックロッドを引き上げることで、これらのチャックブロックが水平方向外側に押し出されて鋼管を内側から把持し、出力軸の回転が鋼管に伝達される構造になっている。
【０００７】
また、特許文献２に記載されている「鋼管杭チャック装置」では、オーガ等の駆動装置に取り付けられる、外形が多角面に形成された軸部とその上部に連設されたテーパ状の受面部を有するコアシャフトと、前記受面部に対応したテーパ状の押面部が上部に形成されて、前記軸部の各面に対応するように、軸部の各面に沿って配置される複数のクランプピースと、これらのクランプピースの上部が拡径方向に変位可能に各クランプピースの上部を束ねて保持する保持リングと、これらのクランプピースの下部を拡径方向に変位可能に束ねて保持するリテーナとを備えている。
【０００８】
この「鋼管杭チャック装置」は、鋼管杭内へ挿入して前記押面部と受面部を摺接させて各クランプピースの上部を拡径方向に傾けて鋼管杭の内面上端部分を保持し、この状態でコアシャフトを回転させると、軸部の多角面のそれぞれの角部が各クランプピースを拡径方向へ押し出し、これらのクランプピースの外面によって鋼管杭を内側から把持することができる。
【先行技術文献】
【特許文献】
【０００９】
【特許文献１】特開２００４−１００２６０号公報
【特許文献２】特開２００６−２４１９０９号公報
【発明の概要】
【発明が解決しようとする課題】
【００１０】
前述した特許文献１に記載されている「鋼管チャック装置」は、チャックシリンダを動作させるための油圧機器や配管等が必要であり、構造が複雑になって製作コストが高くなる問題があった。
【００１１】
また、特許文献２に記載されている「鋼管杭チャック装置」は、コアシャフトを回転させることにより、軸部の多角面のそれぞれの角部が各クランプピースを拡径方向へ押し出して鋼管杭を把持する構造であるため、クランプピースと摺動接触するこれらの角部が早期に摩耗する可能性があるとともに、クランプピースの把持力は、主として軸部の多角面との相対回転による楔作用に依存しているため、クランプピースの把持力が不足して鋼管内面との間でスリップを生じる可能性があり、耐久性や信頼性に問題があった。
【００１２】
そこで、本発明は、前述したような従来技術における問題を解消し、鋼管杭の把持・開放動作を回転駆動軸の回転操作のみで確実に行うことができる、構造が簡単で耐久性があり且つ製作コストの安い、鋼管杭のチャック装置を提供することを目的とする。
【課題を解決するための手段】
【００１３】
前記目的のために提供される本発明の鋼管杭のチャック装置は、上端から所定長さの範囲に形成された第１のねじ部と、当該ねじ部と同一ピッチの逆ねじで下端から所定長さの範囲に形成された第２のねじ部と、前記２つのねじ部の間に設けられた案内鍔部とを有し、上端部が鋼管杭の回転圧入装置の回転駆動軸に連結されて略垂直軸線回りに回転駆動されるねじ軸と、前記ねじ軸の第１のねじ部に螺合するねじ孔が中心部に形成されているとともに、下端から上方に径が拡大するテーパ状外周面を有する第１のナット部材と、前記第１のナット部材と一体に連結され、鋼管杭の上端面に当接する受け面を有する受け座と、前記ねじ軸の第２のねじ部に螺合するねじ孔が中心部に形成されているとともに、上端から下方に径が拡大する、第１のナット部材のテーパ状外周面と同じテーパ角のテーパ状外周面を有する第２のナット部材と、前記ねじ軸の周囲に放射状に配置され、それぞれの半径方向外側の面が鋼管杭上端部内周面と当接してこれを内側から把持する把持面として機能する、横断面扇状の複数のチャック片と、これらのチャック片を結束して半径方向内側に付勢する少なくとも１つの弾性リングとを備えている。
【００１４】
前記それぞれのチャック片には、半径方向外側の面に前記弾性リングを収容する弾性リング収容溝が隣どうし環状に連続するように、円周方向に形成されているとともに、半径方向内側の面の長手方向中央部に、前記ねじ軸の案内鍔部がその半径方向及び円周方向に摺動可能に嵌入する溝部が形成され、前記溝部の上方には、前記第１のナット部材のテーパ状外周面に案内される第１のテーパ状受け面が形成されているとともに、当該溝部の下方には、前記第２のナット部材のテーパ状外周面に案内される第２のテーパ状受け面が形成され、第１のナット部材のテーパ状外周面と第１のテーパ状受け面の間、ならびに、第２のナット部材のテーパ状外周面と第２のテーパ状受け面の間には、それぞれキーが組み込まれてそれぞれの対向面間の相対回動変位が規制されている。
【００１５】
鋼管杭上端に管端受け部を押し当てた状態でねじ軸を回転させて、第１のナット部材と第２のナット部材を接近させることにより、各チャック片が半径方向外側に変位して各把持面が鋼管杭の上端部内周面を押圧して把持し、ねじ軸を逆転させて、第１のナット部材と第２のナット部材を離間させることにより、各チャック片が弾性リングの付勢力によって半径方向内側に変位して鋼管杭を開放する。
【００１６】
本発明の鋼管杭のチャック装置においては、第２のナット部材の下端面に、下面に鋼管杭内へ案内するためのガイド部材を有する防塵カバーが、取り外し可能に装着されていることが望ましい。
【発明の効果】
【００１７】
請求項１に記載された発明に係る鋼管杭のチャック装置によれば、鋼管杭回転圧入装置の回転駆動軸の回転操作によって、鋼管杭の把持動作及び開放動作が自動的に行われるため、鋼管杭の回転圧入作業の前後に、鋼管杭の上端に回転駆動軸に連結するための連結軸を取り付けたり取り外したりする作業が不要であり、作業効率を高めることができる。
【００１８】
また、従来より提案されている、複数の把持部材を鋼管杭の上端部内周面に押し当てて把持する形式の種々のチャック装置と比較して構造が簡単で耐久性があり、大きな把持力が得られる。
【００１９】
また、ねじ軸に作用するトルクの増加につれて、各チャック片の外周面が鋼管杭の内周面を押圧する力が増加して両者の間に作用する摩擦力が増加するため、回転駆動軸の回転力を鋼管杭に確実に伝達することができる。
【００２０】
請求項２に記載された発明に係る鋼管杭のチャック装置によれば、第２のナット部材の下端面に装着された防塵カバーによって、当該ナット部材のねじ孔内への土砂等の異物の侵入を防止することができる。また防塵カバーは取り外し可能であるため、前記ねじ孔内の清掃を容易に行うことができる。
【００２１】
さらに、防塵カバーの下面に設けられているガイド部材によって、チャック装置を鋼管杭の上端から挿入する際に、その中心軸線が鋼管杭の中心軸線と整合するように案内されるため、鋼管杭内へチャック装置の挿入を容易に行うことができる。
【図面の簡単な説明】
【００２２】
【図１】本発明のチャック装置を備えた鋼管杭回転圧入装置の側面図である。
【図２】本発明のチャック装置の片側断面図である。
【図３】本発明のチャック装置に用いているねじ軸の側面図である。
【図４】本発明のチャック装置に用いているねじ軸と回転駆動軸の連結部分の部分断面図である。
【図５】本発明のチャック装置に用いている第１のナット部材及びこれと一体に設けられた受け座の斜視図であって、（Ａ）は斜め上方から見た図、（Ｂ）は斜め下方から見た図。
【図６】本発明のチャック装置に用いている第２のナット部材及びこれに付属する防塵カバー等の斜視図であって、（Ａ）は斜め上方から見た図、（Ｂ）は斜め下方から見た図。
【図７】本発明のチャック装置に用いている４つのチャック片を円筒状に組み合わせた状態を示す斜視図である。
【図８】本発明のチャック装置に用いているチャック片の内面側の斜視図である。
【図９】本発明のチャック装置で鋼管杭を把持し、回転駆動軸から鋼管杭に回転力が伝達される過程を説明する図である。
【図１０】本発明のチャック装置の動作を示す縦断面図であり、同図右半分は鋼管杭を把持した状態、左半分は把持を開放した状態をそれぞれ示す。
【図１１】本発明のチャック装置を開放し、鋼管杭から分離する過程を説明する図である。
【発明を実施するための形態】
【００２３】
以下、本発明の実施形態について図面を参照して説明する。図１は、本発明のチャック装置（以下、単にチャック装置という。）を備えた鋼管杭回転圧入装置の側面図であって、本発明のチャック装置１は、鋼管杭回転圧入装置Ａの駆動ヘッドＢに設けられている回転駆動軸Ｃの下端に取り付けられて、当該回転駆動軸Ｃを鋼管杭Ｐの上端部に連結するために用いられる。
【００２４】
前記鋼管杭回転圧入装置Ａは、作業車ＤのアームＥに連結して支持されているガイド柱Ｆを有しており、駆動ヘッドＢは、このガイド柱Ｆに沿って昇降移動可能に設けられている。また、回転駆動軸Ｃは、その途中に自在継手Ｇが組み込まれていて、前記回転駆動軸Ｃの回転軸線と鋼管杭Ｐの中心軸線の角度のずれをここで吸収できるようにしてある。
【００２５】
また、同図に示す鋼管杭Ｐは、その下端部外周にスクリューＳが設けられていて、駆動ヘッドＢをガイド柱Ｆに沿って下降させながら回転駆動軸Ｃを回転駆動し、前記スクリューＳを地中で螺進させて鋼管杭Ｐを地盤表面ＧＬから所望の深さまで打設した後は、前記スクリューＳは、鋼管杭Ｐに上方から作用する荷重を地中に分散して、鋼管杭Ｐの沈降を防止する役割を果たしている。なお、鋼管杭Ｐが支持する荷重が小さい場合には、スクリューＳは設けなくてもよい。
【００２６】
チャック装置１は、図２に示すように、ねじ軸２、第１のナット部材３、受け座４、第２のナット部材５、及び、ねじ軸２の周囲に放射状に配置された４つのチャック片６を主要な構成部品として備えている。
【００２７】
前記ねじ軸２は、図３に示すように、その上端から所定長さの範囲に、第１のねじ部２Ａが形成されている。本実施形態においては、第１のねじ部２Ａは左ねじになっていて、その上端部は、図４に示すように、回転駆動軸Ｃの下端面に左ねじで形成されているねじ穴Ｃ１に螺合し、ねじ軸２の上端付近に直径方向に形成されたピン孔２Ｂに、固定ピンＨを通してねじ軸２を回転駆動軸Ｃに対して取り外し可能に固定できるようにしてある。
【００２８】
また、ねじ軸２には、図３に示すように、その下端から所定長さの範囲に、第１のねじ部２Ａと同一ピッチで、これと逆ねじ（すなわちここでは右ねじ）の第２のねじ部２Ｃが形成されており、さらに、第１のねじ部２Ａと第２のねじ部２Ｃの間には、ねじ軸２と同心状の円形の外周面を有する案内鍔部２Ｄが設けられている。
【００２９】
図２に示すように、第１のねじ部２Ａには、第１のナット部材３が装着されている。本実施形態においては、前記ナット部材３は、後述する受け座４と一体に形成されており、これらの中心部には、前記第１のねじ部２Ａと螺合するねじ孔ｎ１が貫通して形成されている。
【００３０】
図５は、第１のナット部材３及び受け座４の斜視図であり、（Ａ）はこれらを斜め上方から見た図、（Ｂ）は斜め下方から見た図である。同図に示すように、第１のナット部材３は、下端から上方に径が拡大するテーパ状外周面３Ａを有している。
【００３１】
このテーパ状外周面３Ａには、図２に示す各チャック片６を案内するキーｋ１を保持するためのキー嵌入凹部３Ｂが、円周方向に等間隔に４箇所、母線方向に沿って形成されている。
【００３２】
また、受け座４は、図２及び図５（Ｂ）に示すように、下面に前記鋼管杭Ｐの上端面に当接する円環状の受け面４Ａを有するとともに、その外側に、当該鋼管杭Ｐの上端面を受け面４Ａに整合するように案内するガイドフランジ４Ｂを有している。
【００３３】
図２に示すように、第２のねじ部２Ｃには、第２のナット部材５が装着されている。本実施形態においては、前記ナット部材５は、前記ねじ部２Ｃに螺合するねじ孔ｎ２を有しており、その下端面には円板状の防塵カバー７が取り外し可能に装着されている。また、前記防塵カバー７の下面には、後述するガイド部材８が一体に設けられている。
【００３４】
図６は、第２のナット部材５及びこれに付属する防塵カバー７等の付属部品の斜視図であって、（Ａ）は斜め上方から見た図、（Ｂ）は斜め下方から見た図である。同図に示すように、第２のナット部材５は、上端から下方に径が拡大する、前述した第１のナット部材３のテーパ状外周面３Ａと同じテーパ角を有するテーパ状外周面５Ａを有している。
【００３５】
このテーパ状外周面５Ａには、図２に示す各チャック片６を案内するキーｋ２を保持するためのキー嵌入凹部５Ｂが、前述した第１のナット部材３と同様に、円周方向に等間隔に４箇所、母線方向に沿って形成されている。
【００３６】
また、第２のナット部材５の下端部には、テーパ状外周面５Ａの下端より大径で、前記防塵カバー７と同じ外径を有するフランジ部５Ｃが設けられており、防塵カバー７はこのフランジ部５Ｃの下面周縁部の４箇所で、取付ボルト７Ａにより取り外し可能に締結固定されるようにしてある。
【００３７】
また、ガイド部材８は、防塵カバー７の下面中央部で互いに直交する、２つの直角２等辺３角形を組み合わせたヒレ状をしており、鋼板を熔接して防塵カバー７と一体に製作されている。
【００３８】
図７は、４つのチャック片６を組み合わせた状態を示す斜視図、図８は、これらの各チャック片６の内面側の斜視図であって、これらの図に示すチャック片６は全て同一形状で、中心角が略９０度の扇形の横断面を有しており、図７のように４つ組み合わせると、全体の外周輪郭が、把持する鋼管杭の内径よりもやや小さい外径を有する円筒状になるように構成されている。
【００３９】
図７に示すように、それぞれのチャック片６の外周面の上下２箇所には、弾性リング９を収容する弾性リング収容溝６Ａが、隣どうし環状に連続するように円周方向に形成されている。
【００４０】
弾性リング９は扁平な矩形断面を有する、１箇所が切り離された円環状のばね材で形成されており、チャック片６の各弾性リング収容溝６内へそれぞれ２つずつ上下に並べて装着されている。
【００４１】
これらの弾性リング９は４つのチャック片６を結束し、外力が作用しない状態では、それぞれの円周方向の端面どうしが互いに当接しているように、これらのチャック片６を半径方向内側に付勢する役割を有している。
【００４２】
図８に示すように、それぞれのチャック片６の内面側の長手方向中央部には、溝部６Ｂが形成されている。図２に示すように、前記溝部６Ｂにはねじ軸２の案内鍔部２Ｄがその半径方向及び円周方向に摺動可能に嵌入して、ねじ軸２に対するチャック片６の軸方向の移動を規制している。
【００４３】
また、図８に示すように、前記溝部６Ｂの上方には、前述した第１のナット部材３のテーパ状外周面３Ａに案内される、第１のテーパ状受け面６Ｃが形成されている。また、当該溝部６Ｂの下方には、これも前述した第２のナット部材５のテーパ状外周面５Ａに案内される第２のテーパ状受け面６Ｄが形成されている。
【００４４】
前記第１のテーパ状受け面６Ｃと第２のテーパ状受け面６Ｄは、チャック片６の円周方向の端面どうしが互いに当接した状態で、第１のナット部材３のテーパ状外周面３Ａと第２のナット部材５のテーパ状外周面５Ａにそれぞれ適合する形状を有している。
【００４５】
また、第１のテーパ状受け面６Ｃと第２のテーパ状受け面６Ｄには、それぞれの母線方向に沿ってキー溝６Ｅ、６Ｆが形成されている。図２に示すように、これらのキー溝６Ｅ、６Ｆには前述したキーＫ１とキーＫ２をそれぞれ嵌入させることで、第１のナット部材３とチャック片６間、ならびに、第２のナット部材５と当該チャック片６間の相対回動変位が規制されるようにしてある。
【００４６】
次に、前述したように構成されているチャック装置１が鋼管杭Ｐを把持して回転駆動軸Ｃから鋼管杭Ｐに回転力が伝達される過程を図９及び図１０に基づいて説明する。なお、図１０の右半分は、チャック装置１が鋼管杭Ｐを把持した状態、同図の左半分は、鋼管杭Ｐを開放した状態をそれぞれ示している。
【００４７】
図９（ａ）は、地上に直立させた鋼管杭Ｐの上端開口部から回転駆動軸Ｃの下端部に取り付けたチャック装置１を挿入する過程を示しており、このとき、回転駆動軸Ｃは、回転は停止させた状態で降下させる。
【００４８】
また、この過程においては、各チャック片６は、円周方向に隣合う端面どうしが弾性リング９の付勢力によって当接していて、これらのチャック片６の外径が鋼管杭Ｐの内径よりも小さくなっているため、鋼管杭Ｐ内への挿入が可能である。
【００４９】
なお、本実施形態においては、 チャック装置１を鋼管杭Ｐに挿入する際に、その中心軸線が鋼管杭の中心軸線と整合するようにガイド部材８によって案内されるため、チャック装置の挿入を容易に行うことができる。
【００５０】
同図（ｂ）は、チャック装置１が鋼管杭Ｐ内へ完全に挿入され、受け座４が鋼管杭Ｐの上端で支持された状態を示している。この状態は、図１０の左半分に示すように、第１のナット部材３と第２のナット部材５は上下方向に離間した位置にあり、それぞれのチャック片６は、各弾性リング９の付勢力によって半径方向内側に寄った退避位置にあって、それぞれのチャック片６の外周面は、鋼管杭Ｐの内周面から離れている。
【００５１】
また、受け座４のガイドフランジ４Ｂは、鋼管杭Ｐの上端部外周に係合し、受け面４Ａが鋼管杭Ｐの上端面に当接している。なお、受け座４は、鋼管杭Ｐ内に、上方から落下するゴミ等の侵入を防ぐカバーの役割も兼ねている。
【００５２】
次に、図９の（ｃ）に示すように、回転駆動軸Ｃを上方から見て時計回りに回転させる。なお、この回転の向きは、図１において、この向きに鋼管杭Ｐを回転させたときに、鋼管杭Ｐの下端部に設けられているスクリューＳが地盤の中を下方に向かって螺進する向きになっている。
【００５３】
そうすると、前述したように、ねじ軸２の第１のねじ部２Ａは左ねじ、第２のねじ部２Ｃは右ねじに形成されているため、図１０の右半分に示すように、ねじ軸２の回転に伴って第１のナット部材３は下方に移動し、また、第２のナット部材５は上方に移動する。
【００５４】
その結果、第１のナット部材３のテーパ状外周面３Ａと第２のナット部材５のテーパ状外周面５Ａが、それぞれのチャック片６の、図８に示す第１のテーパ状受け面６Ｃと第２のテーパ状受け面６Ｄの上を摺動して、これらのチャック片６を弾性リング９の付勢力に抗して半径方向外側に押し出す。こうして、各チャック片６の外周面は、鋼管杭Ｐの内周面に押し付けられ、鋼管杭Ｐが内側から把持される。
【００５５】
なお、第１のナット部材３と一体に設けられている受け座４の受け面４Ａは、鋼管杭Ｐの上端面との摩擦で回転が阻止されているため、第１のナット部材３がねじ軸２に引きずられて回ってしまうことはない。
【００５６】
さらに、第２のナット部材５も、それぞれキーｋ１、ｋ２で結合されたチャック片６を介して、第１のナット部材３と間接的に結合されているため、ねじ軸２に引きずられて回ってしまうことはない。
【００５７】
また、それぞれのチャック片６は、ねじ軸２が回転する際に、案内鍔部２Ｄに溝部６Ｂが案内されてねじ軸２に対して半径方向にのみ変位し軸方向の両者の位置関係が変化することはない。
【００５８】
鋼管杭Ｐがチャック装置１に把持されると、図９の（ｄ）に示すように、回転駆動軸Ｃの回転力は、鋼管チャック装置１を介して鋼管杭Ｐに伝達されるため、鋼管杭Ｐは回転駆動軸Ｃと一体となって回転する。
【００５９】
こうして、鋼管杭Ｐを回転させながら、その下端のスクリューＳのピッチに合わせて、図１に示すガイド柱Ｆに沿って駆動ヘッドＢを下降させ、スクリューＳの螺進によって鋼管杭Ｐを地盤の中に侵入させていく。
【００６０】
次いで、鋼管杭Ｐの下端が所望の深さまで達したら、図１１（ａ）に示すように、回転駆動軸Ｃの回転を停止する。次いで同図（ｂ）のように、回転駆動軸Ｃを逆転（上方から見て反時計回りに回転）すると、図１０の左半分に示すように、第１のナット部材３と第２のナット部材５は、上下方向に離間するため、各チャック片６は弾性リング９の付勢力によって半径方向内側に退避して鋼管杭Ｐを開放する。
【００６１】
なお、図１０の左半分においては、受け座４の受け面４Ａは、鋼管杭Ｐの上端面に当接しているが、図１１（ｂ）の過程において、回転駆動軸Ｃを定位置で逆回転させると、第１のナット部材３は上方に変位するため、実際は、鋼管杭Ｐの上端面から離脱する。
【００６２】
こうして、チャック装置１が鋼管杭Ｐから分離したら、回転駆動軸Ｃを停止させた後、同図（ｃ）のように、回転駆動軸Ｃ上昇させて、鋼管杭Ｐの上方へチャック装置１を抜き出し、鋼管杭Ｐの設置が完了する。
【００６３】
なお、前述した実施形態においては、ねじ軸２の周囲に４つのチャック片６を放射状に配置しているが、チャック片の数はこれに限定するものではなく、２つ以上で鋼管杭を内側から把持できるものであればよい。
【００６４】
また、本実施形態においては、ねじ軸２の第１のねじ部２Ａを左ねじで、第２のねじ部２Ｃを右ねじでそれぞれ形成しているが、これに限定するものではなく、例えば、既設の鋼管杭Ｐを撤去する場合に用いるチャック装置は、第１のねじ部を右ねじで、第２のねじ部を左ねじでそれぞれ形成し、第１のナット部材と第２のナット部材のねじ孔をそれぞれこれらのねじ部に適合するように構成することができる。
【００６５】
さらに、ガイド部材８は必ずしも設けなくてもよく、例えば、これに代えて、第２のナット部材の下端の周縁部を大きく面取り加工して、チャック装置を鋼管杭の上端開口部へ挿入する際のガイド面を形成してもよい。
【００６６】
また、本実施形態においては、防塵カバー７は、第２のナット部材５のねじ孔ｎ２内へ下方から土砂等の異物の侵入を防ぐために設けているが、特に必要がない場合には設けなくてもよい。
【産業上の利用可能性】
【００６７】
小規模住宅等の基礎杭として用いる小径の鋼管杭を設置する鋼管杭回転圧入装置の回転駆動軸に取り付けて、当該回転駆動軸の回転力を鋼管杭に伝達するチャック装置として、広く利用可能である。
【符号の説明】
【００６８】
１              チャック装置
２              ねじ軸
２Ａ            第１のねじ部
２Ｂ            ピン孔
２Ｃ            第２のねじ部
２Ｄ            案内鍔部
３              第１のナット部材
３Ａ            テーパ状外周面
３Ｂ            キー嵌入凹部
４              受け座
４Ａ            受け面
４Ｂ            ガイドフランジ
５              第２のナット部材
５Ａ            テーパ状外周面
５Ｂ            キー嵌入凹部
５Ｃ            フランジ部
６              チャック片
６Ａ            弾性リング収容溝
６Ｂ            溝部
６Ｃ            第１のテーパ状受け面
６Ｄ            第２のテーパ状受け面
６Ｅ、６Ｆ      キー溝
７              防塵カバー
７Ａ            取付ボルト
８              ガイド部材
９              弾性リング
Ａ              鋼管杭回転圧入装置
Ｂ              駆動ヘッド
Ｃ              回転駆動軸
Ｃ１            ねじ穴
Ｄ              作業車
Ｅ              アーム
Ｆ              ガイド柱
Ｇ              自在継手
Ｈ              固定ピン
Ｐ              鋼管杭
Ｓ              スクリュー
ｋ１、ｋ２      キー
ｎ１、ｎ２      ねじ孔
【図１】
2015206208.tif 000003
【図２】
2015206208.tif 000004
【図３】
2015206208.tif 000005
【図４】
2015206208.tif 000006
【図５】
2015206208.tif 000007
【図６】
2015206208.tif 000008
【図７】
2015206208.tif 000009
【図８】
2015206208.tif 000010
【図９】
2015206208.tif 000011
【図１０】
2015206208.tif 000012
【図１１】
2015206208.tif 000013